(57)【要約】【課題】  モジュール式インプラントコンポーネント用の接合部を改良する。【解決手段】  モジュール式関節インプラント１０は、使用の際に主に圧縮された状態になる圧縮側と使用の際に主に引っ張られた状態になる引っ張り側とを有する雄雌式接合部を含む。インプラント１０は、孔開口部３２と雄雌式接合部の雌側を形成する内側表面３４とを有する内孔３０を含んだ近位本体２０のような第１のコンポーネントを含んでいる。第１のコンポーネントは、外側表面３８をさらに含んでいる。内側表面３４及び外側表面３８は、その間に所定の壁厚４２を有した壁４０を規定する。インプラント１０の引っ張り側の壁は、インプラント１０の圧縮側の壁よりも厚くなっている。【選択図】      図２
2005193022.tif 000002
【特許請求の範囲】
【請求項１】
雄雌式接合部を備えるモジュール式関節インプラントであって、
孔開口部と雄雌式接合部の雌側を形成する内側表面と長手方向接合軸線とを有した内孔を含んだ第１のコンポーネントと、
雄雌式接合部の雄側を形成する外側表面を有し且つ前記接合軸線に沿った雄雌式着座配置で前記内孔と係合可能である突出部を含んだ第２のコンポーネントと、
を備え、前記内孔と前記突出部とが前記孔開口部から長手方向に延びる接触領域において接触し、前記孔開口部に隣接する前記接触領域の第１の部分が前記孔開口部に隣接する前記隣接領域の第２の部分に対して軸線方向にオフセット配置されていることを特徴とするモジュール式関節インプラント。
【請求項２】
前記孔開口部の第１の部分が前記孔開口部の第２の部分に対して軸線方向にオフセット配置されている、請求項１に記載のモジュール式関節インプラント。
【請求項３】
前記雄雌式接合部の接触領域を前記接合軸線に沿って長手方向に移動させるために、前記孔開口部の少なくとも一部が前記接合軸線に対して斜めになるように形成されている、請求項２に記載のモジュール式関節インプラント。
【請求項４】
前記内孔及び前記突出部は、前記突出部が雄雌式テーパ状着座配置で前記内孔と係合するように、相補的なテーパ部を形成する、請求項２に記載のモジュール式関節インプラント。
【請求項５】
前記テーパ部は自己ロックする、請求項４に記載のモジュール式関節インプラント。
【請求項６】
前記第１のコンポーネントは前記内孔の前記内側表面から離間して設けられた外側表面を有し、前記外側表面と前記内側表面は該外側表面と該内側表面との間に壁を規定し、該壁の厚さは第１の位置から第２の位置までの前記壁の部分にわたって前記軸線と概略平行な方向に増加し、前記孔開口部の前記第１の部分は、前記壁の厚さを増加させる向きに軸線方向にオフセット配置されている、請求項２に記載のモジュール式関節インプラント。
【請求項７】
前記モジュール式関節インプラントは、使用の際に圧縮される圧縮側と、使用の際に引っ張られる引っ張り側とを有し、前記孔開口部の前記第１の部分は、前記モジュール式関節インプラントの前記引っ張り側において軸線方向にオフセット配置されている、請求項２に記載のモジュール式関節インプラント。
【請求項８】
前記第１のコンポーネントは、前記内孔の前記内側表面から離間して設けられた外側表面を有し、前記外側表面と前記内側表面が該外側表面と該内側表面との間に壁を規定し、該壁の剛性が前記接合軸線と概略平行な方向に増加するようになっており、前記孔開口部の前記第１の部分は前記壁の剛性を増加させる方向にオフセット配置され、前記孔開口部の前記第１の部分に隣接する前記壁の剛性がオフセット配置されていない場合よりも前記突出部の剛性に近くなるようになっている、請求項２に記載のモジュール式関節インプラント。
【請求項９】
前記孔開口部の一部が前記突出部から半径方向に離れる方向にオフセット配置されている、請求項１に記載のモジュール式関節インプラント。
【請求項１０】
雄雌式接合部を備えたモジュール式股関節インプラントであって、
上端部と、下端部と、内側面と、外側面と、前記上端部に隣接して形成された頸部と、前記下端部に形成された内孔とを有し、該内孔が孔開口部と雄雌式接合部の雌側を形成する内側表面と長手方向接合軸線とを有する近位本体コンポーネントと、
第１の端部と、第２の端部と、前記第１の端部に形成された突出部とを有し、該突出部が雄雌式接合部の雄側を形成する外側表面を有し且つ前記接合軸線に沿って雄雌式着座配置で前記内孔と係合可能であるステムコンポーネントと、
を備え、前記雄側と前記雌側が前記孔開口部に隣接する部分で互いに接触するようになっており、前記孔開口部は前記外側面に隣接する第１の部分と前記内側面に隣接する第２の部分とを有し、前記第１の部分における前記雄雌式接合部の接触領域が前記第２の部分に対して前記接合軸線に沿って長手方向に移動させられるように、前記孔開口部の第１の部分が前記孔開口部の第２の部分に対して前記上端部に向かって軸線方向にオフセット配置されている、モジュール式股関節インプラント。
【請求項１１】
前記内孔及び前記突出部は互いに対して相補的なテーパ部を形成し、該テーパ部は前記第２の端部から前記第１の端部に向かって狭くなっている、請求項１０に記載のモジュール式股関節インプラント。
【請求項１２】
前記近位本体コンポーネントは前記内孔の前記内側表面から離間して設けられた外側表面を有し、前記内側表面及び前記外側表面が該内側表面と該外側表面との間に壁を規定し、前記孔開口部の前記第１の部分が前記壁の厚さを増加させる方向に軸線方向にオフセット配置されるように、前記内孔のテーパ部が前記接合軸線と概略平行な方向に外側壁から内方に離れていくにつれ、前記第１の端部と前記第２の端部との間の壁の一部において前記壁の厚さが増加するようになっている、請求項１１に記載のモジュール式股関節インプラント。
【請求項１３】
前記モジュール式股関節インプラントは、前記近位本体コンポーネントの前記頸部に支持された大腿骨骨頭コンポーネントと、該大腿骨骨頭コンポーネントと係合可能な寛骨臼コンポーネントとをさらに備える、請求項１０に記載のモジュール式股関節インプラント。
【請求項１４】
使用の際に主として圧縮された状態になる圧縮側と使用の際に主として引っ張られた状態になる引っ張り側とを有した雄雌式接合部を備えたモジュール式関節インプラントであって、
孔開口部と前記雄雌式接合部の雌側を形成する内側表面と長手方向接合軸線とを有する内孔を含む第１のコンポーネントと、
前記雄雌式接合部の雄側を形成する外側表面を有した突出部を含む第２のコンポーネントと、
を備え、前記第１のコンポーネントが外側表面を有し、前記第１のコンポーネントの内孔の内側表面と前記第１のコンポーネントの外側表面とが該内側表面と該外側表面との間に壁を規定し、該壁の厚さは、前記モジュール式関節インプラントの前記圧縮側よりも前記モジュール式関節インプラントの前記引っ張り側において大きくなっていることを特徴とするモジュール式関節インプラント。
【請求項１５】
使用の際に主として圧縮された状態になる圧縮側と使用の際に主として引っ張られた状態になる引っ張り側とを有した雄雌式接合部を備えたモジュール式関節インプラントであって、
孔開口部と前記雄雌式接合部の雌側を形成する内側表面と長手方向接合軸線とを有した内孔を含み、前記モジュール式関節インプラントの引っ張り側に位置する前記内孔の側が、前記モジュール式関節インプラントの圧縮側に位置する前記内孔の側に対して軸線方向に移動させられている第１のコンポーネントと、
前記雄雌式接合部の雄側を形成する外側表面を有した突出部を含み、該突出部が前記接合軸線に沿って雄雌式着座配置で前記内孔と係合可能である第２のコンポーネントと、
を備えることを特徴とするモジュール式関節インプラント。
【発明の詳細な説明】
【技術分野】
【０００１】
本発明は、モジュール式関節インプラントに関する。
【背景技術】
【０００２】
苦痛を低減させ機能を改善させるために、ほ乳類の体の様々な部分を置換又は強化するための医療用インプラントが利用され、満足な結果を得てきた。例えば、疾患及び／又は外傷により損傷を受けた骨及び関節の各部分を置換するための整形外科インプラントは、多くの場合、苦痛を除去し且つ／又は運動性を増加させる。股関節用、膝関節用、肩関節用、足関節（足首）用、肘関節用、手関節（手首）用、手及び足の指用、椎体用、椎間板用、及び他の骨及び関節用の整形外科インプラントがすでに開発されている。多くの医療用インプラントは、組み合わせて特定の患者の条件に適合させた一つのインプラントを形成することができる複数の分離したモジュール式コンポーネントとしてこれを提供することによってより融通性が効くようにされている。
【発明の開示】
【発明が解決しようとする課題】
【０００３】
このようなモジュール式のコンポーネントが供給される場合には、これらを互いに取り付けるための手段が提供される。
本発明の目的は、上記取り付けるための手段を改良することにある。
【課題を解決するための手段】
【０００４】
本発明は、モジュール式インプラントコンポーネントの接合部を提供する。
【０００５】
本発明の一つの態様では、モジュール式関節インプラントは、第１の関節コンポーネントと第２の関節コンポーネントとの間の雄雌式接合部を含む。第１の関節コンポーネントは、長手方向接合軸線と孔開口部とを有する内孔を含む。第２の関節コンポーネントは、雄雌式着座配置で内孔と係合可能な突出部を含む。孔開口部の第１の部分は、孔開口部の第２の部分に対して軸線方向にオフセット配置されている。
【０００６】
本発明の他の態様では、上記第１の部分は内孔を取り囲む壁の剛性を増加させる方向にオフセット配置されている。
【０００７】
本発明の他の態様では、上記第１の部分は壁の厚さを増加させる方向にオフセット配置されている。
【０００８】
本発明の他の態様では、上記第１の部分は、インプラントに負荷がかけられたときに通常引っ張られた状態になるインプラントの側がオフセットされている。
【０００９】
本発明の他の態様では、モジュール式関節インプラントは、使用時に主に圧縮された状態になる圧縮側と使用時に主に引っ張られた状態になる引っ張り側とを有する雄雌式接合部を含む。インプラントは、孔開口部と雄雌式接合部の雌側を形成する内側表面とを有する内孔を含んだ第１のコンポーネントを含んでいる。第１のコンポーネントは、外側表面をさらに含んでいる。内側表面及び外側表面は、その間に所定の壁厚を有した壁を規定する。インプラントの引っ張られる側の壁は、インプラントの圧縮される側の壁よりも厚い。
【００１０】
本発明の他の態様では、モジュール式関節インプラントは、使用時に主に圧縮された状態になる圧縮側と使用時に主に引っ張られた状態になる引っ張り側とを有する雄雌式接合部を含む。インプラントは、孔開口部と雄雌式接合部の雌側を形成する内側表面とを有する内孔を含んだ第１のコンポーネントを含んでいる。内孔において、インプラントの引っ張られる側に位置する側が、インプラントの圧縮される側に位置する内孔の側に対して軸線方向に移動させられている。
【発明を実施するための最良の形態】
【００１１】
添付図面を参照して、本発明の様々な実施形態を説明する。これら図面は、本発明の例示のための実施形態を示しているに過ぎず、本発明の範囲を制限するものとみなされるべきではない。
【００１２】
モジュール式インプラント用の接合部の実施形態は、身体全体で使用される様々なインプラントに適用可能である。本発明を例示するために、大腿骨側股関節ステムが使用されている。しかしながら、本発明は、股関節、膝関節、肩関節、足関節（足首）、肘関節、手関節（手首）、手及び足の指、椎体、及び椎間板用の整形外科インプラントや他の適したインプラントを含む様々な他のインプラントにも適用され得る。
【００１３】
図１及び図２は、負傷又は疾患により損傷を受けた股関節部の大腿骨の近位骨頭及び頸部を置換するためのモジュール式大腿骨側股関節インプラント１０を示している。使用の際には、近位骨頭及び頸部が外科手術により除去され、大腿骨側股関節インプラント１０が近位大腿骨に挿入される。大腿骨側股関節インプラント１０は、示されているように別個のモジュール式コンポーネントとすることができる大腿骨骨頭１２を支持する。任意選択として、大腿骨骨頭１２は、大腿骨側股関節インプラントと一体的に形成することができる。寛骨臼コンポーネント１４は、骨盤の寛骨臼に移植され、大腿骨骨頭１２と関節式に接合することができる。任意選択として、大腿骨骨頭１２は、生来の寛骨臼と関節式に接合することも可能である。大腿骨側股関節インプラント１０は、内側面１６と、外側面１８とを有する。患者が、起立や歩行又は他の行動によって、関節に負荷をかけたとき、力が骨頭１２を通して大腿骨側股関節インプラント１０に伝達される。これらの力は曲げモーメントを生じさせ、この曲げモーメントが大腿骨側股関節インプラントの内側面１６を圧縮された状態にし且つ外側面１８を引っ張られた状態にする傾向を有する。
【００１４】
大腿骨側股関節インプラント１０は、近位本体２０やステム２２のような複数のモジュール式コンポーネントを含むことができる。近位本体２０は、上端部２４と、下端部２６とを有する。上端部２４から頸部２８が内側上方に向けて延び、寛骨臼コンポーネント１４と関節接合するための大腿骨骨頭１２を支持する。近位本体２０及びステム２２は、これらを互いにつなぎ合わせるための雄雌式接合部を含む。例示されている実施形態では、接合部の雌側が近位本体２０に示されており、接合部の雄側がステム２２上に示されている。雄部分及び雌部分は、逆にし得ることも企図されており、それでもなお本発明の範囲内である。近位本体２０は、孔開口部３２と雄雌式接合部の雌側を形成する内側表面３４とを有した内孔３０（図２）を含んでいる。内孔３０は長手方向接合軸線３６を有している。近位本体２０は、内孔３０の内側表面３４から離間して設けられた外側表面３８を有している。外側表面３８と内側表面３４はその間に壁４０を規定している。壁４０の壁厚４２は、一定であってもよく、図２に示されているように、孔開口部３２から上端部２４に向かって増加していてもよい。壁厚の増加は、内孔が例示の実施形態のように孔開口部３２から上端部２４に向かって狭くなっていくように内孔をテーパ状にすることによって達成することができる。テーパ状の内孔は、当該技術分野において公知となっているように、自己ロックするように形成されることも可能である。
【００１５】
ステム２２は、下端部４４と、上端部４６とを含んでいる。下端部４４は、患者の大腿骨の髄内腔に挿入するのに適するように構成されている。上端部４６は、雄雌式接合部の雄側を形成する外側表面５０を有した突出部４８を含んでいる。突出部４８は、接合軸線３６に沿った雄雌式着座配置で内孔３０と係合可能である。ねじ部付きスタッド３３が突出部４８から延びており、近位本体２０に形成された端ぐり孔３５に受容されている。ナット３７がスタッド３３に螺着され、雄雌式接合部をしっかりと確実に留める。
【００１６】
大腿骨側股関節インプラント１０に負荷が加えられたとき、近位本体２０及びステム２２の内側面は圧縮された状態にされ、近位本体２０及びステム２２の外側面は引っ張られた状態にされる。雄雌式接合部の領域における近位本体２０及びステム２２の曲げ剛性の違いに起因して、内孔の壁４０は、突出部４８の外側表面に対して移動し得る。周期的な負荷は、内孔３０の内側表面３４と突出部４８の外側表面５０との間のフレッチングにつながり得る。これは、引張力が疲労割れを生じさせ広がらせ得ることから、引っ張り側で一層問題となり得る。
【００１７】
フレッチング運動の大きさは、接合部の雄部と雌部の相対的剛性に関係する。内孔３０の開口部３２における相対的運動は接合部の全長に沿った相対的運動の集積したものである。この集積した相対的運動は、接合部の引っ張り側における相対的運動の集積に関わる長さを減少させることによって減少され得る。しかしながら、接合部を単に短くすることは効果がない。というのは、これは、このように短くされた接合部が終端する直径がより短くなった雄部の断面においてより高い応力を生じさせることになるからである。しかしながら、引っ張り側のみを短くすれば、圧縮側は今まで通り支持され、引っ張り側の端部における引っ張り応力は僅かに増加するだけである一方、相対的なフレッチング運動は大幅に減少する。例示の実施形態では、孔開口部３２の外側部分５２は、内側部分５４に対して軸線方向上方にオフセットされた位置に配置されている。このオフセットされた部分、すなわち除去された部分５２は、外側部分５２に階段状に上方に向かって切り込みを入れることによって、又は孔開口部３２が接合軸線３６に対して斜めになるように外側に上り傾斜を付けることによって、若しくは他の適した形状に孔開口部を形成することによって、作成され得る。
【００１８】
雄雌式接合部におけるフレッチングは、雄雌式接合部の雄側及び雌側の剛性を良好な状態に釣り合わせることによっても減少させることができる。本願発明の発明者は、雄側と雌側の剛性をより良好に釣り合わせるための一つの方法がインプラント１０の引っ張り側において孔開口部３２に隣接する内孔壁４０の剛性を増加させることであることを見出した。剛性の増加は、曲げ慣性モーメントを増加させるように孔開口部３２に隣接する部分において近位本体２０の外径を増加させて接合軸線３６から半径方向に離れる方向に材料を移動させることによってなされ得る。この剛性の増加は、近位本体２０と突出部４８の接合部において近位本体２０の壁厚を増加させることによってもなされ得る。例示の実施形態では、内孔３０は、内孔３０が近位側に向かって細くなり且つ壁厚４２が近位側に向かって増加するようにテーパ状になっている。内側部分５４に対して軸線方向上方に孔開口部３２の外側部分５２をオフセット配置することによって、孔開口部３２の外側１８の壁厚は増加させられる。このオフセット配置にされた部分、すなわち除去された部分５２は、図示されているように孔開口部３２が接合軸線３６に対して斜めになるように外側に上り傾斜を付けるさことによって、又は外側部分５２に階段状に上方に向かって切り込みを入れることによって、若しくは他の適した形状に孔開口部を形成することによって、作成され得る。例示の実施形態では、接合部の雄側を形成する突出部４８は上方に向かって細くなっている。よって、外側５２を上方に移動させることにより、突出部４８の剛性が減少した領域に外側境界面を移動させて、雄部と雌部の剛性を外側においてさらに釣り合うようにさせることにもなる。最後に、接合部の内側、前側及び後側を下方に延ばさせたままで外側を上方に移動させることによって、外側の疲労特性は改善される一方、雄部と雌部の境界面全体は比較的大きい状態に保たれ、その間の強固な係合を容易にさせる。
【００１９】
内孔壁４０の剛性を増加させるための他の手法は、図３に示されているように、突出部４８から内孔壁を離れる方向にオフセットさせるように接合部の引っ張り側においてのみ内孔３０を拡大させることである。これは、上述したように軸線方向上向きに引っ張り側を移動させるのと同じ効果を有する。接合部の雄側と雌側の剛性をより十分に釣り合わせる他の手法を使用することも可能であり、本発明の範囲内であるとみなされる。
【００２０】
以上は本発明の例示の実施形態を説明したものであるが、特許請求の範囲の記載によって規定される本発明の精神及び範囲から逸脱することなくこれら実施形態に変更を加え得ることは当業者に理解されるであろう。
【図面の簡単な説明】
【００２１】
【図１】本発明によるモジュール式インプラント接合部の組立分解斜視図である。
【図２】図１のモジュール式インプラント接合部の側断面図である。
【図３】本発明のモジュール式インプラント接合部の外側部の任意選択形態の側断面図である。
【符号の説明】
【００２２】
１０    モジュール式大腿骨側股関節インプラント
１２    大腿骨骨頭
１４    寛骨臼コンポーネント
１６    内側面
１８    外側面
２０    近位本体
２２    ステム
２４    上端部
２６    下端部
２８    頸部
３０    内孔
３２    孔開口部
３４    内側表面
３６    接合軸線
３８    外側表面
４０    壁
４２    壁厚
４４    下端部
４６    上端部
４８    突出部
５０    外側表面
５２    オフセット部分
５４    内側部分
【図１】
2005193022.tif 000003
【図２】
2005193022.tif 000004
【図３】
2005193022.tif 000005